(57)【要約】      （修正有）【課題】極めて簡単な構成で熱効率が良く、電力消費量が比較的少ないため、コストを安く抑えることができるおでん用鍋を提供する。【解決手段】外鍋部１１と、外鍋部１１の内側に設けられた内鍋部１２と、外鍋部１１と内鍋部１２の間に形成された貯湯部１３と、貯湯部１３に配置された加熱部材１５を有する。また、加熱部材１５の加熱量を調節する加熱調節部を有する場合がある。さらに、加熱部材１５が内鍋部１２の外側底部１４に配置されることがある。加えて、外鍋部１１は鉄、ステンレスあるいは木よりなり、内鍋部はアルミニウム、ステンレスあるいは銅よりなることがある。【選択図】図２
0003130698.tif 000002
【実用新案登録請求の範囲】
【請求項１】
外鍋部（１１）と、前記外鍋部の内側に設けられた内鍋部（１２）と、前記外鍋部と内鍋部の間に形成された貯湯部（１３）と、前記貯湯部に配置された加熱部材（１５）を有するおでん用鍋。
【請求項２】
前記加熱部材の加熱量を調節する加熱調節部を有する請求項１に記載のおでん用鍋。
【請求項３】
前記加熱部材が前記内鍋部の外側底部に配置された請求項１又は２に記載のおでん用鍋。
【請求項４】
前記外鍋部は鉄、ステンレスあるいは木よりなり、前記内鍋部はアルミニウム、ステンレスあるいは銅よりなる請求項１ないし３のいずれか１項に記載のおでん用鍋。
【考案の詳細な説明】
【技術分野】
【０００１】
この考案は、おでん用鍋に関する。
【背景技術】
【０００２】
従来、コンビニエンスストアや飲食店で業務上使用されているおでん用鍋は、開店から閉店までの長時間に渡り、おでんを煮込むのに用いられている。このようなおでん用鍋の使用方法として、ガス式や電気式のコンロにおでん鍋を載置して、鍋の外側底部から直接加熱して煮込む方法があるが、煮汁が沸騰しすぎて味が変化したり、おでん鍋の底部が局所的に加熱されるため、おでんの具の煮込み具合が不均一になったり、煮崩れする嫌いがある。
【０００３】
そこで、鍋の中のおでんの煮汁や具を均一に加熱するために、湯煎にかけて煮込むことも行われている。例えば、水を入れて直接加熱する外鍋と、外鍋に収容される内鍋を有するおでん鍋等が提案されている（特許文献１参照）。ガス式コンロを用いて湯煎にかける場合には、火力の調整によって、内鍋の煮汁の温度も一定に保ちやすいものの、近年、おでんを販売する店舗が高層ビルの中にある場合などは特に、安全性の観点からガス式コンロの使用が規制されることが多くなっている。一方、電気式のコンロでおでん鍋を湯煎にかける場合には、通常、外鍋の外側底部から加熱するために熱効率が悪く、おでんの煮汁を長時間煮込んだり保温するための電力消費量が極めて大きくなり、コストが高くなる等の問題がある。
【特許文献１】特開２０００−２６２３９６号公報
【考案の開示】
【考案が解決しようとする課題】
【０００４】
この考案は、前記の点に鑑みなされたものであり、極めて簡単な構成で熱効率が良く、電力消費量が比較的少ないため、コストを安く抑えることができるおでん用鍋を提供するものである。
【課題を解決するための手段】
【０００５】
すなわち、請求項１の考案は、外鍋部（１１）と、前記外鍋部の内側に設けられた内鍋部（１２）と、前記外鍋部と内鍋部の間に形成された貯湯部（１３）と、前記貯湯部に配置された加熱部材（１５）を有するおでん用鍋に係る。
【０００６】
また、請求項２の考案は、前記加熱部材の加熱量を調節する加熱調節部を有する請求項１に記載のおでん用鍋に係る。
【０００７】
さらに、請求項３の考案は、前記加熱部材が前記内鍋部の外側底部に配置された請求項１又は２に記載のおでん用鍋に係る。
【０００８】
請求項４の考案は、前記外鍋部は鉄、ステンレスあるいは木よりなり、前記内鍋部はアルミニウム、ステンレスあるいは銅よりなる請求項１ないし３のいずれか１項に記載のおでん用鍋に係る。
【考案の効果】
【０００９】
請求項１の考案に係るおでん用鍋によれば、外鍋部と、前記外鍋部の内側に設けられた内鍋部と、前記外鍋部と内鍋部の間に形成された貯湯部と、前記貯湯部に配置された加熱部材を有するため、従来のものと比較して熱効率がよいので、コストを安く抑えることができる。
【００１０】
請求項２の考案によれば、請求項１において、前記加熱部材の加熱量を調節する加熱調節部を有するため、前記貯湯部内の湯の温度の温度調節が容易である。
【００１１】
請求項３の考案によれば、請求項１又は２において、前記加熱部材が前記内鍋部の外側底部に配置されたため、貯湯部内の湯が均一に加熱されやすい。
【００１２】
請求項４の考案によれば、請求項１ないし３のいずれかにおいて、前記外鍋部は鉄、ステンレスあるいは木よりなり、前記内鍋部はアルミニウム、ステンレスあるいは銅よりなるため、前記外鍋部は保温性及び断熱性に優れると共に、前記内鍋部は熱伝導率が高いので、さらに熱効率がよい。
【考案を実施するための最良の形態】
【００１３】
以下添付の図面に従って、この考案を詳細に説明する。図１は本考案の一実施例に係るおでん用鍋の概略全体斜視図、図２は図１を模式的に表した断面図である。
【００１４】
この考案のおでん用鍋１０は、図１に示し、請求項１の考案として規定するように、外鍋部１１と、前記外鍋部１１の内側に設けられた内鍋部１２と、前記外鍋部１１と内鍋部１２の間に形成された貯湯部１３と、前記貯湯部１３に配置された加熱部材１５を有するものである。
【００１５】
外鍋部１１は、特に大きさや形状は限定されないが、図１に示す実施例のように、所定の深さを有し、上方が開放されて箱状に成形された鍋が用いられる。また、外鍋部１１と内鍋部１２の間には貯湯部１３が設けられるため、外鍋部１１の材質は、断熱性及び保温性に優れたものであることが好ましい。具体的には、請求項４の考案として規定される鉄、ステンレスあるいは木より構成されることが望ましい。また、外鍋部１１は、さらに断熱性及び保温性を高めるために、側面板や底面板が二重に形成されてその間を中空とするなどして断熱層が形成されても良い。なお、図示の如く外鍋部１１及び内鍋部１２の上部には、保温効果を高めたり、衛生上の観点から木、ステンレス、プラスチックよりなる蓋１９が載置される。
【００１６】
内鍋部１２は、前記外鍋部１１の内側に設けられるものであれば、形状や大きさは特に限定されない。実施例では、内鍋部１２は外鍋部と同様に、上方が解放されて箱状に成形された鍋が用いられる。例えば、業務用のおでん用鍋である場合は、外鍋部１１が約６００×４００×２５０ｍｍ程度の大きさであるとすると、内鍋部１２は約５００×３００×１６０ｍｍ位に構成される。また、内鍋部１２は外鍋部１１との間に形成される貯湯部により湯煎可能なように保持される。内鍋部１２の保持方法は、内鍋部１２の底部に載置部が形成されてもよいし、実施例のように、内鍋部１２の上端に顎部を形成させて外鍋部１１に掛着されるようにしてもよい。内鍋部１２の材質は限定されないが、貯湯部１３の湯の温度が伝導しやすいように、熱伝導率の高い金属であることが好ましく、具体的には、アルミニウム、ステンレスあるいは銅より形成されることが好ましい。なお、図１及び図２に示すように、実施例の内鍋部１２には煮汁２０と共におでんの具２１の種類毎に分けて煮込めるように、適宜、縦横に配置される仕切板部１２ａが形成される。
【００１７】
貯湯部１３は、前記外鍋部１１と内鍋部１２の間に形成される。貯湯部１３には、内鍋部１２内のおでんの煮汁２０や具２１を煮込んだり保温するための湯が蓄えられる。貯湯部１３は、内鍋部１２を湯煎に掛けるために形成されるため、熱効率がよいように構成され、その大きさは前記外鍋部１１及び内鍋部１２の大きさにより調整される。貯湯部１３が構成されることで、内鍋部１２内の煮汁２０を均一に加熱することができると共に、温度が高くなりすぎて沸騰することがないので、長時間煮込んでも煮汁２０の蒸発が少なくおでんの味が変化しにくい。また、おでんの具２１の煮くずれや内鍋部１２の内側底部への焦げ付きが低減される。
【００１８】
加熱部材１５は、貯湯部１３に配置される。加熱部材１５として、従来公知の耐水性の電気ヒーターが用いられ、貯湯部１３に蓄えられた湯あるいは水を加熱するものである。加熱部材１５は、内鍋部１２内のおでんを煮込んだり保温したりするのに十分な熱容量を持つものが選択される。この考案においては、従来のように加熱部材が外鍋の外側に構成されるのではなく、加熱部材１５が貯湯部１３に配置されることにより、貯湯部の湯（あるいは水）が直接に加熱されるので、極めて熱効率がよい。また、加熱部材１５は、貯湯部１３であれば、内鍋部１２の外側側部などどこに配置されても良いが、貯湯部１３内の湯が加熱されやすく、内鍋部１２内のおでんの具２１や煮汁２０を均一な温度で煮込みやすいように、請求項３の考案として規定するように、加熱部材１５は前記内鍋部１２の外側底部１４に配置されることが好ましい。
【００１９】
また、請求項２の考案として規定するように、前記加熱部材１５の加熱量を調節する加熱調節部１６が形成されることが好ましい。この加熱調節部１６は、貯湯部１３内の湯の温度を内鍋部１２を湯煎に掛けるのに適した温度に調節するもので、従来公知のサーモ・コントローラ等が用いられる。例えば、このサーモ・コントローラは、貯湯部１３の湯の温度あるいは内鍋部１２内の煮汁２０の温度を検出できる公知の検出手段が設けられ、検出した温度が所定の温度に到達すると、加熱部材１５への電力供給を遮断し、検出した温度が所定の温度を下回ると、加熱部材への電力供給を続行されるように制御される。図１の実施例のように、所定温度に設定可能な温度設定ダイヤルが構成される。なお、おでんを煮込むには、内鍋部１２内のおでんの煮汁２０の温度が約８０〜９０℃であるのが好ましく、このとき貯湯部１３内の湯の温度は内鍋部１２内の温度よりも高い約８５〜９５℃になるように加熱調節部１６が設定される。
【図面の簡単な説明】
【００２０】
【図１】本考案の一実施例に係るおでん用鍋の概略全体斜視図である。
【図２】図１を模式的に表した断面図である。
【符号の説明】
【００２１】
１０  おでん用鍋
１１  外鍋部
１２  内鍋部
１３  貯湯部
１４  外側底部
１５  加熱部材
１６  加熱調節部
【図１】
0003130698.tif 000003
【図２】
0003130698.tif 000004